(57)【要約】【課題】バイス等の取付具が不要で、カメラ用三脚を利用し、理美容師又は見習い等による技術習得、特にロングヘアーのカット、整髪等の練習に使用されるウイッグ又はウイッグ固定用筒状体に簡便に嵌着することが可能で、構造簡単かつ製作コスト及び販売価格が廉価なウイッグ又は理美容練習具用支持ヘッドを提供する。【解決手段】支持ヘッドＨは、嵌着部１、中間軸部２及び台座３からなり、その素材は、金属又は硬質合成樹脂で、嵌着部１の周面には直線状の凹凸部１ａが頂部から下方に向けて複数刻設され、台座３の底部中央には直径１／４インチ（６．３５ｍｍ）の雌ねじ３ａが螺設されている。【選択図】図１
0003130800.tif 000002
【実用新案登録請求の範囲】
【請求項１】
カメラ用三脚を利用して、ウイッグ又はウイッグ固定用筒状体に嵌着して、固定するための支持ヘッドであって、
上方部には、ウイッグ又はウイッグ固定用筒部に嵌着する円錐状嵌着部を形成すると共に、中間軸部の下方部には、カメラ用三脚の雲台に装着する円形状台座を一体的に形成したことを特徴とする、ウイッグ又は理美容練習具用支持ヘッド。
【請求項２】
前記台座底部の中央には直径１／４インチの雌ねじが螺設されていることを特徴とする、請求項１に記載のウイッグ又は理美容練習具用支持ヘッド。
【請求項３】
前記台座の雌ねじ周辺近傍にストッパー用の穿設孔が設けられていることを特徴とする、請求項１〜請求項２の何れかに記載のウイッグ又は理美容練習具用支持ヘッド。
【請求項４】
前記穿設孔は、前記雌ねじ中心より水平位置約１０ｍｍに設けられ、その直径は、約４ｍｍであることを特徴とする、請求項１〜請求項３の何れかに記載のウイッグ又は理美容練習具用支持ヘッド。
【請求項５】
前記円錐状嵌着部、中間軸部及び台座は、金属又は硬質合成樹脂を素材とし、一体的に制作されていることを特徴とする、請求項１〜請求項４の何れかに記載のウイッグ又は理美容練習具用支持ヘッド。
【請求項６】
前記円錐状嵌着部の頂部から台座底面までの高さ寸法は、少なくとも約１６０ｍｍ以上であることを特徴とする、請求項１〜請求項５の何れかに記載のウイッグ又は理美容練習具用支持ヘッド。
【請求項７】
前記台座の直径が約４０ｍｍ以上であることを特徴とする、請求項１〜請求項６の何れかに記載のウイッグ又は理美容練習具用支持ヘッド。
【請求項８】
前記台座の厚さ寸法が約２０ｍｍ以上であることを特徴とする、請求項１〜請求項７の何れかに記載のウイッグ又は理美容練習具用支持ヘッド。
【請求項９】
前記円錐状嵌着部から台座まで中実又は中空としていることを特徴とする、請求項１〜請求項８の何れかに記載のウイッグ又は理美容練習具用支持ヘッド。
【考案の詳細な説明】
【技術分野】
【０００１】  本考案は、ウイッグ又は理美容練習具用支持ヘッドに係り、より詳しくは、市販されている、ＣＤカメラ又はビデオカメラ用の三脚を利用し、理美容師又は見習い等による技術習得、特にロングヘアーのカット、整髪等の練習に使用されるウイッグ等に嵌着、固定するための支持ヘッドに関する。
【背景技術】
【０００２】  従来より、理美容業界における基本技術であるヘアーカット、整髪等の技術習得には、人体の首及びヘアー付き頭部を模した人形、いわゆるウイッグを練習具としている。ウイッグによる練習は、主に机、台板等に取り付けられるバイス、高さ調節用ロッド、締め付け用ハンドル、ハウジング等からなる取付具の上方先端に具備された球状体付きの支持ヘッドにウイッグの筒状部を嵌入して行われている。【０００３】  バイスないしクランプを使用する取付具として、例えば特開２００６−６８３０６、特開２００４−６２１２７、特開２００１−６１５５１、特開２０００−１３７４３２、特開平１０−２２８２３３等々多数が開示されている。しかしながら、ウイッグ使用によるショートスタイルのヘアーカット等には問題ないが、ロングスタイル及びミディアムスタイルのヘアーカット、グラデーション、ブラッシング等を実習するに際しては、ウイッグのみでは、人体の肩部、背部、胸部がない状態でのヘアーカット、整髪等の練習は、実情からかけ離れた状態であるため、理美容師又は見習い等には、そのイメージを把握するのが困難である。この不具合を解決するために、本願出願人は、図    〜図  に示す、上面には、ウイッグ頸部を挿着する円錐状の柱状体を立設し、かつ下面にはウイッグ取付具の支持ヘッドを嵌着する円錐状の筒状体を垂設してなる人体の上半身模型を主な構成部材とする、理美容練習具を提案した。
【特許文献１】特開２００６−６８３０６号公報
【特許文献２】特開２００４−６２１２７号公報
【特許文献３】特開２００１−６１５５１号公報
【特許文献４】特開２０００−１３７４３２号公報
【特許文献５】特開平１０−２２８２３３号公報
【考案の開示】
【考案が解決しようとする課題】
【０００４】  特許文献１〜特許文献５は、いずれも机、台板等への取り付け用バイス、高さ調節用ロッド、締め付け用ハンドル、ハウジング等、その構成部材は多種かつ複雑であるために、製作コストが高価となり、また机、台板等への取付作業も煩雑である等の欠点がある。【０００５】  本考案が解決しようとする課題は、机、台板等に取り付けるためのバイス等の取付具が不要で、カメラ用三脚を利用し、
理美容師又は見習い等による技術習得、特にロングヘアーのカット、整髪等の練習に使用されるウイッグ又はウイッグ固定用筒状体に簡便に嵌着することが可能で、構造が簡単であり、かつ製作コスト及び販売価格が廉価なウイッグ又は理美容練習具用支持ヘッドを提供することにある。
【課題を解決するための手段】
【０００６】  本考案者は、従来技術が有する各種の諸問題に鑑み、上記の課題を解決するために鋭意検討し、本考案を完成したものである。課題を解決するための手段は、本願、実用新案登録請求の範囲の各請求項に記載の考案であり、その具体的手段は、以下の通りである。【０００７】  課題を解決するための第１の考案は、請求項１に記載の考案であり、カメラ用三脚を利用して、ウイッグ又はウイッグ固定用筒状体に嵌着して、固定するための支持ヘッドであって、上方部には、ウイッグ又はウイッグ固定用筒部に嵌着する円錐状嵌着部を形成すると共に、中間軸部の下方部には、カメラ用三脚の雲台に装着する円形状台座を一体的に形成したことを特徴としている。【０００８】  課題を解決するための第２の考案は、請求項２に記載の考案であり、前記台座底部の中央には直径１／４インチの雌ねじが螺設されていることを特徴としている。【０００９】  課題を解決するための第３の考案は、請求項３に記載の考案であり、前記台座の雌ねじ周辺近傍にストッパー用の穿設孔が設けられていることを特徴としている。【００１０】  課題を解決するための第４の考案は、請求項４に記載の考案であり、前記穿設孔は、前記雌ねじ中心より水平位置約１０ｍｍに設けられ、その直径は、約４ｍｍであることを特徴としている。【００１１】  課題を解決するための第５の考案は、請求項５に記載の考案であり、前記円錐状嵌着部、中間軸部及び台座は、金属又は硬質合成樹脂を素材とし、一体的に制作されていることを特徴としている。【００１２】  課題を解決するための第６の考案は、請求項６に記載の考案であり、前記円錐状嵌着部の頂部から台座底面までの高さ寸法は、少なくとも約１６０ｍｍ以上であることを特徴としている。【００１３】  課題を解決するための第７の考案は、請求項７に記載の考案であり、前記台座の直径が約４０ｍｍ以上であることを特徴としている。【００１４】課題を解決するための第８の考案は、請求項８に記載の考案であり、前記台座の厚さ寸法が約２０ｍｍ以上であることを特徴としている。【００１５】  課題を解決するための第９の考案は、請求項９に記載の考案であり、前記円錐状嵌着部から台座まで中実又は中空としていることを特徴としている。
【考案の効果】
【００１６】  本考案に係る、ウイッグ又は理美容練習具用支持ヘッドは、上記の構成になるから以下の効果を奏する。即ち、第１〜第２の考案によれば、上方部には、ウイッグ又はウイッグ固定用筒部に嵌着する円錐状嵌着部を形成すると共に、中間軸部の下方部には、カメラ用三脚の雲台に装着する円形状台座を一体的に形成してなり、台座底部の中央には直径１／４インチの雌ねじが螺設されているから、カメラ用三脚の雲台に立設されている雄ねじに台座底部の雌ねじを螺着するだけでよいので、机、台板等はもちろん、バイス等の取付具が不要となり、ウイッグ又はウイッグ固定用筒部に円錐状嵌着部を簡便に嵌着することが可能で、かつ構造はシンプルであるから製作コスト、販売価格を廉価とする、本願考案の課題を解決することができた。【００１７】  第３〜第４の考案によれば、台座の雌ねじ周辺近傍にストッパー用の穿設孔が設けられ、その穿設孔は、雌ねじ中心より水平位置約１０ｍｍに設けられ、その直径は、約４ｍｍであるから、市販されているストッパー用ピン付きのカメラ用三脚の雲台に、台座は安定して固定される。【００１８】  第５及び第９の考案によれば、円錐状嵌着部、中間軸部及び台座は、金属又は硬質合成樹脂を素材とし、一体的に制作されかつ、円錐状嵌着部から台座まで中実又は中空としているので、従来の公知技術、例えば鋳造法又は型枠成型法等で大量生産が可能で、製作コスト及び販売価格を廉価とすることができた。【００１９】  第６〜第８の考案によれば、円錐状嵌着部の頂部から台座底面までの高さ寸法は、少なくとも約１６０ｍｍ以上とし、台座の直径が約４０ｍｍ以上、台座の厚さ寸法が約２０ｍｍ以上としているから、市販のウイッグはもちろん、本願出願人が提案した、人体の上半身模型を主な構成部材とする、理美容練習具等にも適合する汎用性ある、支持ヘッドの提供が実現した。
【考案を実施するための最良の形態】
【００２０】  以下、本考案のウイッグ又は理美容練習具用支持ヘッド（以下、支持ヘッドＨという）に係る、最良の実施形態について、図面を参照して詳細に説明する。図１は、本考案に係る支持ヘッドＨとカメラ用三脚（以下、三脚Ｓという）を分離した斜視図、図２（ａ）は、支持ヘッドＨの平面図、図２（ｂ）は、同底面図、図３は、支持ヘッドＨの縦断面図、図４は、三脚Ｓ上部の斜視図、図５（ａ）は、支持ヘッドＨの台座の一部切欠断面図、図５（ｂ）は、三脚Ｓ上部の一部切欠断面図、図６は、支持ヘッドＨにウイッグを装着した状態の一部切欠断面図、図７は、理美容練習具の上半身模型と嵌挿部材を分離した状態を示す斜視図、図８は、上半身模型に嵌挿部材を嵌着した状態の縦断面図、図９は、理美容練習具に支持ヘッドＨを装着した状態の一部切欠断面図、図１０は、支持ヘッドＨの第２実施態様を示す縦断面図、図１１は、支持ヘッドＨの第３実施態様を示す縦断面図、図１２は、支持ヘッドＨの第４実施態様を示す縦断面図、図１３は、支持ヘッドＨの第５実施態様を示す縦断面図である。【００２１】  図１に示す支持ヘッドＨは、円錐状嵌着部（以下、嵌着部１という）、中間軸部２、円形状台座（以下、台座３という）からなり、その素材は、金属又は硬質合成樹脂で、公知技術例えば、鋳造法又は押型成型法等により製作される。嵌着部１の周面には直線状の凹状溝１ａが頂部１ｂから下方の裾部１ｃに向けて複数刻設され、台座３の底部中央には直径１／４インチ（６．３５ｍｍ）の雌ねじ３ａが螺設されている。ＣＤカメラ又はビデオカメラ用三脚Ｓの雲台１０には、世界標準寸法である直径１／４インチ（６．３５ｍｍ）のカメラ取り付け用ボルト１１が立設されている。１２は基台、１３は脚体、１３ａは脚体１３の高さ調整具、１４はレバーハンドルである。【００２２】［図２］（ａ）は、図示するように、頂部１ｂの直径は約２０ｍｍで、裾部１ｃの直径は約２６ｍｍで頂部１ｂより拡径とされている。図２（ｂ）は、支持ヘッドＨの低面図で、台座３の底部中央には、深さ約１０〜１５ｍｍの雌ねじ３ａが螺設され、該雌ねじ３ａの横部には、直径約４ｍｍの穿設孔３ｂが設けられ、その深さは、約５〜８ｍｍである。【００２３】  図３は、支持ヘッドＨの縦断面図で、Ｌ１は、嵌着部１の頂部から台座３の底面までの高さ寸法で、少なくとも約１６０ｍｍ以上としている。Ｄ１は、雌ねじ３ａの直径寸法で、三脚Ｓの雲台１０に立設されたボルト１１の直径に対応するように螺設されている。またＤ２は、台座３の直径寸法で約４０ｍｍ以上としている。Ｗ１は、台座３の厚さ寸法で、約２０ｍｍ以上としている。【００２４】  図４及び図５（ｂ）に示すように、ボルト１１の近傍にカメラの揺動を防止するためのストッパー用ピン１５を雲台１０上に立設した三脚Ｓも市販されている。図５（ａ）に示すのは、ストッパー用ピン１５を立設した三脚Ｓに対応する支持ヘッドＨの中間軸部２及び台座３であり、雌ねじ３ａの中心から約１０ｍｍ（水平位置Ｄ３）に、直径約４ｍｍの穿設孔３ｂが設けられ、ストッパー用ピン１５が嵌合される。図５（ｂ）において、ボルト１１は、バネ１１ａを介して貫通孔１１ｂ内に保持され、またストッパー用ピン１５は、バネ１５ａ���介して貫通孔１５ｂ内に保持され、矢印で示すように、雲台１０上で出没可能となっている。雲台１０から突出しているボルト１１の高さ寸法Ｌ２より、雌ねじ３ａの寸法Ｌ３は、少なくとも大となるように螺設されている。【００２５】  図６は、支持ヘッドＨにウイッグＵ１を装着した状態を示し、支持ヘッドＨの雌ねじ３ａに、三脚Ｓのボルト１１を螺着した後、支持ヘッドＨの嵌着部１にウイッグＵ１の頸部Ｕ２の底部に設けられた嵌合筒Ｕ３を、嵌着部１の上方から降下させて嵌着する。その後、実習者の身長等に適合するように、高さ調整具１３ａ（図１、参照）により脚体１３の高さを調整するか又は、予めウイッグＵ１を嵌着部１に嵌着する前に、高さ調整具１３ａにより脚体１３の高さを調整することもできる。【００２６】  図７及び図８は、本願出願人により考案された理美容練習具Ｔであり、人体を模した上半身模型Ａと嵌挿部材Ｂよりなり、上半身模型Ａは、頸部を除く肩部２１、胸部２２、鎖骨２３、背部２４、上腕部２５及び脇腹部２６を一体的に連設してなり、嵌挿部材Ｂは、縦断面形状をほぼ三角形状とし、外周縁Ｂ１を傾斜面とし、内周壁Ｂ２には垂直状の脚部Ｂ３を下方に向けて延設すると共に、その先端には上半身模型Ａの貫通孔２１ｆ、２１ｆに挿着される固定ピンＢ４、Ｂ４が垂設されている。また肩部２１の中央には浅底の凹部２１ａが設けられ、凹部２１ａの上面中央には円錐状の柱状体２１ｂが立設され、凹部２１ａの下面中央には円錐状の筒状体２１ｃが垂設されている。【００２７】  図９は、理美容練習具Ｔの上半身模型Ａに支持ヘッドＨを装着した状態を示し、三脚Ｓのボルト１１に支持ヘッドＨの雌ねじ３ａを螺着した後、実習者の身長等に適合するように、高さ調整具１３ａにより脚体１３の高さを調整し、上半身模型Ａの肩部２１、上腕部２５等を両手で抱持し、当該上半身模型Ａを支持ヘッドＨの嵌着部１に向けて上方から徐々に降下させて嵌着、固定する。その後ウイッグＵ１の頸部Ｕ２底部に設けられた嵌合筒Ｕ３を、上半身模型Ａ中央部の柱状体２１ｂに嵌合し、上半身模型Ａと頸部Ｕ２間の空隙に嵌挿部材Ｂを挿着し、ウイッグＵ１の顔面が正面を向くように三脚Ｓの脚体１３を調整して、ウイッグＵ１の支持ヘッドＨへの取り付け作業は終了する。【００２８】  図１０は、支持ヘッドＨの第２実施態様を示すもので、嵌着部１と中間軸部２を中空状とし、支持ヘッドＨの重量を軽量としている。また図１１は、支持ヘッドＨの第３実施態様を示し、中間軸部２を垂直状とし、嵌着部１と共に中空状で、かつ台座３の底部には環状の溝を形成して、支持ヘッドＨの全体重量を軽量としている。図１２は、支持ヘッドＨの第４実施態様を示し、図示するように、嵌着部１と中間軸部２をほぼコーン状に形成して中空状とし、台座３の底部には環状の溝を設けている。図１３は、支持ヘッドＨの第５実施態様を示し、嵌着部１と中間軸部２を円錐状かつ中空状とし、台座３の底部には環状の溝を形成している。なお、第２実施態様〜第５実施態様における嵌着部１及び中間軸部２を何れも中空状としているが、図３に示すように中実とし、台座３も中実とすることができるのは当然である。
【図面の簡単な説明】
【００２９】
【図１】は、本考案に係る、支持ヘッドＨと三脚Ｓを分離した斜視図である。
【図２】（ａ）は、支持ヘッドＨの平面図である。（ｂ）は、同底面図である。
【図３】は、支持ヘッドＨの縦断面図である。
【図４】は、三脚Ｓ上部の斜視図である。
【図５】（ａ）は、支持ヘッドＨの台座の一部切欠断面図である。（ｂ）は、三脚Ｓ上部の一部切欠断面図である。
【図６】は、支持ヘッドＨにウイッグを装着した状態の一部切欠断面図である。
【図７】は、理美容練習具の上半身模型と嵌挿部材を分離した状態を示す斜視図である。
【図８】は、上半身模型に嵌挿部材を嵌着した状態の縦断面図である。
【図９】は、理美容練習具に支持ヘッドＨを装着した状態の一部切欠断面図である。
【図１０】は、支持ヘッドＨの第２実施態様を示す縦断面図である。
【図１１】は、支持ヘッドＨの第３実施態様を示す縦断面図である。
【図１２】は、支持ヘッドＨの第４実施態様を示す縦断面図である。
【図１３】は、支持ヘッドＨの第５実施態様を示す縦断面図である。
【符号の説明】
【００３０】Ｈ                                支持ヘッド
Ｓ                                三脚
Ｕ１                              ウイッグ
Ｕ２                              頸部
Ｕ３                              嵌着筒
Ｔ                                理美容練習具
Ａ                                上半身模型
Ｂ                                嵌挿部材
１                                嵌着部
１ｂ                              頂部
２                                中間軸部
３                                台座
３ａ                              雌ねじ
３ｂ                              穿設孔
３ｃ                              底面
１０                              雲台
１１                              ボルト
１３                              脚体
１３ａ                            高さ調整具
１５                              ストッパー用ピン
２１ｂ                            柱状体
２１ｃ                            筒状体
【図１】
0003130800.tif 000003
【図２】
0003130800.tif 000004
【図３】
0003130800.tif 000005
【図４】
0003130800.tif 000006
【図５】
0003130800.tif 000007
【図６】
0003130800.tif 000008
【図７】
0003130800.tif 000009
【図８】
0003130800.tif 000010
【図９】
0003130800.tif 000011
【図１０】
0003130800.tif 000012
【図１１】
0003130800.tif 000013
【図１２】
0003130800.tif 000014
【図１３】
0003130800.tif 000015